【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】  接続された複数の画像ソースから入力される複数の画像を表示装置にマルチ画面表示することが可能なマルチ画像表示システムにおいて、
接続された各画像ソースの種別を判別する画像ソース判別手段と、
前記表示装置のマルチ画面上に表示される各画像の表示領域を決定するレイアウト決定手段と、
前記マルチ画面上での入力操作を行うためのマルチ画面制御カーソルの生成およびその操作に関する制御を行うカーソル制御手段と、
前記マルチ画面上における前記マルチ画面制御カーソルの表示位置を識別する表示位置識別手段とを備え、
前記カーソル制御手段は、前記マルチ画面制御カーソルの表示位置に対応する画像の画像ソースの種別に応じて、該画像の表示領域における前記マルチ画面制御カーソルの役割を設定し、該設定した役割を果たすように前記マルチ画面制御カーソルの生成およびその操作に関する制御を行うことを特徴とするマルチ画像表示システム。
【請求項２】  前記複数の画像ソースは、インタラクティブな操作環境を提供する画像ソースを含み、
前記カーソル制御手段は、前記マルチ画面制御カーソルの表示位置に対応する画像の画像ソースが前記インタラクティブな操作環境を提供する画像ソースであるときに、前記マルチ画面制御カーソルの役割を前記インタラクティブな操作環境に適応した役割に設定することを特徴とする請求項１記載のマルチ画像表示システム。
【請求項３】  前記インタラクティブな操作環境を提供する画像ソースは、該画像ソースの表示画面上にカーソルを表示し、該カーソルの動作を制御するカーソル機能を有し、
前記カーソル制御手段は、前記マルチ画面制御カーソルの表示位置に対応する画像の画像ソースが前記カーソル機能を有する画像ソースであるときに、前記マルチ画面制御カーソルを前記画像ソースのカーソルに切り替えることを特徴とする請求項２記載のマルチ画像表示システム。
【請求項４】  前記カーソル機能を有する画像ソースは、パーソナルコンピュータ、ワークステーションなどの情報処理装置であることを特徴とする請求項３記載のマルチ画像表示システム。
【請求項５】  前記カーソル機能を有する画像ソースはシリアルバスを有し、
前記カーソル制御手段は、前記マルチ画面制御カーソルの表示位置に対応する画像の画像ソースが前記カーソル機能を有する画像ソースであるときに、前記画像ソースのシリアルバスとの接続を前記画像ソースの稼働状態で再構築し、前記マルチ画面制御カーソルの生成およびその操作に関する制御を前記画像ソースのカーソル機能に移管することを特徴とする請求項３記載のマルチ画像表示システム。
【請求項６】  前記画像ソースのシリアルバスは、ユニバーサルシリアルバスおよびＩＥＥＥ１３９４規格に準拠したシリアルバスのいずれか一方であることを特徴とする請求項５記載のマルチ画像表示システム。
【請求項７】  前記インタラクティブな操作環境を提供する画像ソースは、該画像ソースの表示画面上にインタラクティブカーソルを表示し、該インタラクティブカーソルの動作を制御するカーソル機能を有し、
前記カーソル制御手段は、前記マルチ画面制御カーソルの表示位置に対応する画像の画像ソースが前記カーソル機能を有する画像ソースであるときに、前記マルチ画面制御カーソルの表示をオフして前記画像ソースのカーソル機能に従い前記インタラクティブカーソルを表示させるとともに、該インタラクティブカーソルの操作に関する制御を行うことを特徴とする請求項２記載のマルチ画像表示システム。
【請求項８】  前記インタラクティブな操作環境を提供する画像ソースは、該画像ソースの表示画面上にカーソルを表示し、該カーソルの動作を制御するカーソル機能を有し、
前記カーソル制御手段は、前記マルチ画面制御カーソルの表示位置に対応する画像の画像ソースが前記カーソル機能を有する画像ソースであるときに、前記画像ソースのカーソル機能に従い前記マルチ画面制御カーソルを生成するとともに、前記カーソル機能を有する画像ソースの画像が表示される表示領域の解像度に応じて前記マルチ画面制御カーソルの大きさ、色、移動量を切り替えることを特徴とする請求項２記載のマルチ画面表示システム。
【請求項９】  前記カーソル機能を有する画像ソースは、統合デジタル放送システム対応のデジタル放送を供給するソースであることを特徴とする請求項７または８記載のマルチ画像表示システム。
【請求項１０】  前記カーソル制御手段は、前記マルチ画面上での前記マルチ画面制御カーソルの表示位置が前記統合デジタル放送システム対応のデジタル放送の画像の表示領域にあるときに、前記マルチ画面制御カーソルの表示位置を前記統合デジタル放送システムの事業者が意図する表示位置に変換し、前記変換後のマルチ画面制御カーソルの表示位置がインタラクティブなシーンの切替を選択するボタン属性の領域内にあるときには、受信したデジタル放送のシナリオに基づきシーン切替のアクションを起こすことを特徴とする請求項９記載のマルチ画像表示システム。
【請求項１１】  複数の画像ソースから入力される複数の画像を表示装置にマルチ画面表示するマルチ画像表示方法において、
前記複数の画像ソースの種別を判別する画像ソース判別工程と、
前記表示装置のマルチ画面上に表示される各画像の表示領域を決定するレイアウト決定工程と、
前記マルチ画面上での入力操作を行うためのマルチ画面制御カーソルを生成するカーソル生成工程と、
前記マルチ画面上における前記マルチ画面制御カーソルの表示位置を識別する表示位置識別工程と、
前記マルチ画面制御カーソルの表示位置に対応する画像の画像ソースの種別に応じて、該画像の表示領域における前記マルチ画面制御カーソルの役割を設定し、該設定された役割を果たすように前記マルチ画面制御カーソルの生成およびその操作に関する制御を行うカーソル制御工程と
を有することを特徴とするマルチ画像表示方法。
【請求項１２】  前記複数の画像ソースは、インタラクティブな操作環境を提供する画像ソースを含み、
前記カーソル制御工程は、前記マルチ画面制御カーソルの表示位置に対応する画像の画像ソースが前記インタラクティブな操作環境を提供する画像ソースであるときに、前記マルチ画面制御カーソルの役割を前記インタラクティブな操作環境に適応した役割に設定することを特徴とする請求項１１記載のマルチ画像表示方法。
【請求項１３】  前記インタラクティブな操作環境を提供する画像ソースは、該画像ソースの表示画面上にカーソルを表示し、該カーソルの動作を制御するカーソル機能を有し、
前記カーソル制御工程は、前記マルチ画面制御カーソルの表示位置に対応する画像の画像ソースが前記カーソル機能を有する画像ソースであるときに、前記マルチ画面制御カーソルを前記画像ソースのカーソルに切り替えることを特徴とする請求項１２記載のマルチ画像表示方法。
【請求項１４】  前記カーソル機能を有する画像ソースは、パーソナルコンピュータ、ワークステーションなどの情報処理装置であることを特徴とする請求項１３記載のマルチ画像表示方法。
【請求項１５】  前記カーソル機能を有する画像ソースはシリアルバスを有し、
前記カーソル制御工程は、前記マルチ画面制御カーソルの表示位置に対応する画像の画像ソースが前記カーソル機能を有する画像ソースであるときに、前記画像ソースのシリアルバスとの接続を前記画像ソースの稼動状態で再構築し、前記マルチ画面制御カーソルの生成およびその操作に関する制御を前記画像ソースのカーソル機能に移管することを特徴とする請求項１３記載のマルチ画像表示方法。
【請求項１６】  前記画像ソースのシリアルバスは、ユニバーサルシリアルバスおよびＩＥＥＥ１３９４規格に準拠したシリアルバスのいずれか一方であることを特徴とする請求項１５記載のマルチ画像表示方法。
【請求項１７】  前記インタラクティブな操作環境を提供する画像ソースは、該画像ソースの表示画面上にインタラクティブカーソルを表示し、該インタラクティブカーソルの動作を制御するカーソル機能を有し、
前記カーソル制御工程は、前記マルチ画面制御カーソルの表示位置に対応する画像の画像ソースが前記カーソル機能を有する画像ソースであるときに、前記マルチ画面制御カーソルの表示をオフして前記画像ソースのカーソル機能に従い前記インタラクティブカーソルを表示させるとともに、該インタラクティブカーソルの操作に関する制御を行うことを特徴とする請求項１２記載のマルチ画像表示方法。
【請求項１８】  前記インタラクティブな操作環境を提供する画像ソースは、該画像ソースの表示画面上にカーソルを表示し、該カーソルの動作を制御するカーソル機能を有し、
前記カーソル制御工程は、前記マルチ画面制御カーソルの表示位置に対応する画像の画像ソースが前記カーソル機能を有する画像ソースであるときに、前記画像ソースのカーソル機能に従い前記マルチ画面制御カーソルを生成するとともに、前記カーソル機能を有する画像ソースの画像が表示される表示領域の解像度に応じて前記マルチ画面制御カーソルの大きさ、色、移動量を切り替えることを特徴とする請求項１２記載のマルチ画像表示方法。
【請求項１９】  前記カーソル機能を有する画像ソースは、統合デジタル放送システム対応のデジタル放送を供給するソースであることを特徴とする請求項１７または１８記載のマルチ画像表示方法。
【請求項２０】  前記カーソル制御工程は、前記マルチ画面上での前記マルチ画面制御カーソルの表示位置が前記統合デジタル放送システム対応のデジタル放送の画像の表示領域にあるときに、前記マルチ画面制御カーソルの表示位置を前記統合デジタル放送システムの事業者が意図する表示位置に変換し、前記変換後のマルチ画面制御カーソルの表示位置がインタラクティブなシーンの切替を選択するボタン属性の領域内にあるときには、受信したデジタル放送のシナリオに基づきシーン切替のアクションを起こすことを特徴とする請求項１９記載のマルチ画像表示方法。
【手続補正２】
【補正対象書類名】明細書
【補正対象項目名】０００５
【補正方法】変更
【補正の内容】
【０００５】
【課題を解決するための手段】
本発明は、上記目的を達成するため、接続された複数の画像ソースから入力される複数の画像を表示装置にマルチ画面表示することが可能なマルチ画像表示システムにおいて、接続された各画像ソースの種別を判別する画像ソース判別手段と、前記表示装置のマルチ画面上に表示される各画像の表示領域を決定するレイアウト決定手段と、前記マルチ画面上での入力操作を行うためのマルチ画面制御カーソルの生成およびその操作に関する制御を行うカーソル制御手段と、前記マルチ画面上における前記マルチ画面制御カーソルの表示位置を識別する表示位置識別手段とを備え、前記カーソル制御手段は、前記マルチ画面制御カーソルの表示位置に対応する画像の画像ソースの種別に応じて、該画像の表示領域における前記マルチ画面制御カーソルの役割を設定し、該設定した役割を果たすように前記マルチ画面制御カーソルの生成およびその操作に関する制御を行うことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明は、上記目的を達成するため、複数の画像ソースから入力される複数の画像を表示装置にマルチ画面表示するマルチ画像表示方法において、前記複数の画像ソースの種別を判別する画像ソース判別工程と、前記表示装置のマルチ画面上に表示される各画像の表示領域を決定するレイアウト決定工程と、前記マルチ画面上での入力操作を行うためのマルチ画面制御カーソルを生成するカーソル生成工程と、前記マルチ画面上における前記マルチ画面制御カーソルの表示位置を識別する表示位置識別工程と、前記マルチ画面制御カーソルの表示位置に対応する画像の画像ソースの種別に応じて、該画像の表示領域における前記マルチ画面制御カーソルの役割を設定し、該設定された役割を果たすように前記マルチ画面制御カーソルの生成およびその操作に関する制御を行うカーソル制御工程とを有することを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００９４
【補正方法】変更
【補正の内容】
【００９４】
【発明の効果】
以上説明したように、本発明によれば、マルチ画面上の各画像に対する操作を一元的に行うことができる。
【手続補正２３】
【補正対象書類名】明細書
【補正対象項目名】００９５
【補正方法】変更
【補正の内容】
【００９５】
また、マルチ画面制御カーソルの表示位置に対応する画像の画像ソースがインタラクティブな操作環境を提供する画像ソースであるときに、マルチ画面制御カーソルの役割をインタラクティブな操作環境に適応した役割に設定することにより、マルチ画面上でインタラクティブな操作環境に適応した操作を行うことができる。
【手続補正２４】
【補正対象書類名】明細書
【補正対象項目名】００９６
【補正方法】変更
【補正の内容】
【００９６】
また、マルチ画面制御カーソルの表示位置に対応する画像の画像ソースがカーソル機能を有する画像ソースであるときに、マルチ画面制御カーソルを画像ソースのカーソルに切り替えることにより、カーソル機能を有する画像ソース側での画像の編集、切替えを、画像ソース側で行うことなく、マルチ画面上で行うことができる。
【手続補正２５】
【補正対象書類名】明細書
【補正対象項目名】００９７
【補正方法】変更
【補正の内容】
【００９７】
また、マルチ画面制御カーソルの表示位置に対応する画像の画像ソースがカーソル機能を有する画像ソースであるときに、画像ソースのシリアルバスとの接続を画像ソースの稼働状態で再構築し、マルチ画面制御カーソルの生成およびその操作に関する制御を画像ソースのカーソル機能に移管することにより、画像ソースのカーソル機能への移管を簡単に行うことができる。
【手続補正２６】
【補正対象書類名】明細書
【補正対象項目名】００９８
【補正方法】変更
【補正の内容】
【００９８】
また、マルチ画面制御カーソルの表示位置に対応する画像の画像ソースがカーソル機能を有する画像ソースであるときに、前記マルチ画面制御カーソルの表示をオフして画像ソースのカーソル機能に従い前記インタラクティブカーソルを表示させるとともに、該インタラクティブカーソルの操作に関する制御を行うことにより、マルチ画面上で画像ソースの切替えを行うことができる。
【手続補正２７】
【補正対象書類名】明細書
【補正対象項目名】００９９
【補正方法】変更
【補正の内容】
【００９９】
また、マルチ画面制御カーソルの表示位置に対応する画像の画像ソースがカーソル機能を有する画像ソースであるときに、画像ソースのカーソル機能に従いマルチ画面制御カーソルを生成するとともに、カーソル機能を有する画像ソースの画像が表示される表示領域の解像度に応じてマルチ画面制御カーソルの大きさ、色、移動量を切り替えることにより、画面に適した快適なカーソル操作を行うことができる。
【手続補正２８】
【補正対象書類名】明細書
【補正対象項目名】０１００
【補正方法】削除
【補正の内容】
【手続補正２９】
【補正対象書類名】明細書
【補正対象項目名】０１０１
【補正方法】削除
【補正の内容】
【手続補正３０】
【補正対象書類名】明細書
【補正対象項目名】０１０２
【補正方法】削除
【補正の内容】
【手続補正３１】
【補正対象書類名】明細書
【補正対象項目名】０１０３
【補正方法】削除
【補正の内容】
【手続補正３２】
【補正対象書類名】明細書
【補正対象項目名】０１０４
【補正方法】削除
【補正の内容】
【手続補正３３】
【補正対象書類名】明細書
【補正対象項目名】０１０５
【補正方法】削除
【補正の内容】
【手続補正３４】
【補正対象書類名】明細書
【補正対象項目名】０１０６
【補正方法】削除
【補正の内容】
【手続補正３５】
【補正対象書類名】明細書
【補正対象項目名】０１０７
【補正方法】削除
【補正の内容】